(57)【要約】【目的】フィルターレンズを嵌着した前枠とカメラのレンズ鏡筒の前面に装着される後枠からなるフィルター枠をそなえ、前枠と後枠の間にワッシャを介挿して後枠に対し前枠を回転可能に保持することによりフィルターレンズが回転できるようになっているフィルターの回転枠構造で、前枠と後枠とが分離することがなく、グリースを注入することなしに後枠に対する前枠の円滑な回転を可能とするフィルターの回転枠構造を提供する。【構成】後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたことを特徴とする。【選択図】図５
2019191280.tif 000002
【特許請求の範囲】
【請求項１】
フィルターレンズを嵌着した前枠とカメラのレンズ鏡筒の前面に装着される後枠からなるフィルター枠をそなえ、前枠と後枠の間にワッシャを介挿して後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたことを特徴とするフィルターの回転枠構造。
【請求項２】
前記後枠に押し込む前枠の押し込み側の先端部を前枠の内周側に撓み得る薄肉部に成形し、該薄肉部の先端に鉤部を設け、該鉤部を後枠の内周部に形成した溝部に装入したワッシャに摺動させながら前枠の先端部の薄肉部を後枠に押し込むことにより、前枠の薄肉部が内周側に撓みながら後枠に押し込まれて前枠の薄肉部の撓みが復元するとともに鉤部がワッシャの端部に引っかかることによってワッシャが前枠と後枠の間に弾発的に介挿されることを特徴とする請求項１に記載のフィルターの回転枠構造。
【請求項３】
前記後枠に押し込む前枠の押し込み側に鉤状の加工部を設け、後枠の内周部に形成した溝部にＣ字状のワッシャを装入し、前枠の鉤状の加工部をＣ字状のワッシャに摺動させながら後枠に押し込むことにより、前枠の鉤状の加工部がＣ字状のワッシャを押しひろげながら後枠に押し込まれてワッシャの押しひろがりが復元するとともに鉤状の加工部がワッシャの端部に引っかかることによってワッシャが前枠と後枠の間に弾発的に介挿されることを特徴とする請求項１に記載のフィルターの回転枠構造。
【発明の詳細な説明】
【技術分野】
【０００１】
本発明はデジタルカメラ、デジタルビデオカメラなどのレンズ鏡筒の前面に装着されるフィルターで、フィルターレンズが回転できるようになっているフィルターの回転枠構造に関する。
【背景技術】
【０００２】
従来、デジタルカメラなどにおいては、レンズ前面に汚れやきずが生じるのを防止したり、光透過率を低減するなどの目的で、レンズ鏡筒の前面にフィルターが装着される。このうち、水面やガラス面などからの反射により発生する偏光を抑え、被写体本来の色彩を映し出すための偏光フィルターや、イルミネーションなどの強い光の線をつくるクロスフィルターのように、フィルターレンズが回転できるようになっているフィルターがある。
【０００３】
これらのフィルターの構造は、フィルターレンズを嵌着した前枠とカメラのレンズ鏡筒の前面に装着される後枠からなるフィルター枠をそなえ、前枠と後枠の間にリン青銅などのバネ性を有するワッシャを介挿して後枠に対し前枠を回転可能に保持、一体化することによりフィルターレンズが回転できるようになっている。
【０００４】
このように前枠と後枠の間にリン青銅のようなワッシャを介挿して後枠に対し前枠を回転可能に保持、一体化したフィルターにおいては、ワッシャの変形により前枠と後枠とが分離してしまうことがあるため、前枠が後枠から抜け落ちるのを防止するためにワッシャの形状を複数の直線と円弧の組み合わせ形状または二種類以上の異なる曲率半径を持った複数の円弧の組み合わせ形状のような複雑な形状にするなどの提案がなされている。
【０００５】
一方、後枠に対する前枠の回転を円滑にするために前枠と後枠の摺動面にグリースを注入しておくことも行われているが、気温が高い地域ではグリースの粘度が低くなり、フィルターの外側に染み出してフィルターレンズ面に付着したりカメラや手を汚すなどの問題があり、気温が低い地域ではグリースの粘度が高くなり、前枠の回転トルクが上がって扱い難くなるという問題がある。さらに、後枠からワッシャが外れ易いため、ワッシャを嵌めながら組み立てる際に習熟度を要するという難点もある。
【先行技術文献】
【特許文献】
【０００６】
【特許文献１】公開実用新案昭５５−１６７２１８号明細書
【特許文献２】実開平４−７９３３７号明細書
【発明の概要】
【発明が解決しようとする課題】
【０００７】
本発明は、フィルターレンズを嵌着した前枠とカメラのレンズ鏡筒の前面に装着される後枠からなるフィルター枠をそなえ、前枠と後枠の間にワッシャを介挿して後枠に対し前枠を回転可能に保持することによりフィルターレンズが回転できるようになっているフィルターの回転枠構造における上記の問題点を解消するためになされたものであり、その目的は、複雑な形状のワッシャを使用することなしに前枠と後枠とが分離するという問題点を解消することができ、グリースを注入することなしに後枠に対する前枠の円滑な回転を可能とするフィルターの回転枠構造を提供することにある。
【課題を解決するための手段】
【０００８】
上記の目的を達成するための請求項１によるフィルターの回転枠構造は、フィルターレンズを嵌着した前枠とカメラのレンズ鏡筒の前面に装着される後枠からなるフィルター枠をそなえ、前枠と後枠の間にワッシャを介挿して後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたことを特徴とする。
【０００９】
請求項２によるフィルターの回転枠構造は、請求項１において、前記後枠に押し込む前枠の押し込み側の先端部を前枠の内周側に撓み得る薄肉部に成形し、該薄肉部の先端に鉤部を設け、該鉤部を後枠の内周部に形成した溝部に装入したワッシャに摺動させながら前枠の先端部の薄肉部を後枠に押し込むことにより、前枠の薄肉部が内周側に撓みながら後枠に押し込まれて前枠の薄肉部の撓みが復元するとともに鉤部がワッシャの端部に引っかかることによってワッシャが前枠と後枠の間に弾発的に介挿されることを特徴とする。
【００１０】
請求項３によるフィルターの回転枠構造は、請求項１において、前記後枠に押し込む前枠の押し込み側に鉤状の加工部を設け、後枠の内周部に形成した溝部にＣ字状のワッシャを装入し、前枠の鉤状の加工部をＣ字状のワッシャに摺動させながら後枠に押し込むことにより、前枠の鉤状の加工部がＣ字状のワッシャを押しひろげながら後枠に押し込まれてワッシャの押しひろがりが復元するとともに鉤状の加工部がワッシャの端部に引っかかることによってワッシャが前枠と後枠の間に弾発的に介挿されることを特徴とする。
【発明の効果】
【００１１】
本発明によれば以下の効果が達成される。
（１）前枠をワッシャに摺動させながら後枠に押し込むことによりワッシャが前枠と後枠の間に弾発的に装着され、前枠と後枠とを一体化させることができるから組立時の習熟度が不要となる。
（２）グリースを使用しないから、グリースの染み出しに起因する問題が解消され、前枠の回転トルクの変動を生じることもない。また、グリースの注入工程が不要となるから組立工数を減らすことができる。
【図面の簡単な説明】
【００１２】
【図１】本発明によるフィルターの回転枠構造を適用したフィルターの一実施形態の組立前の状態を示す要部断面図である。
【図２】図１の組立時の状態を示す要部断面図である。
【図３】図１、図２の組立後の状態を示す要部断面図である。
【図４】本発明によるフィルターの回転枠構造を適用したフィルターの他の実施形態の組立前の状態を示す要部断面図である。
【図５】図４の組立時の状態を示す要部断面図である。
【図６】図４、図５の組立後の状態を示す要部断面図である。
【発明を実施するための形態】
【００１３】
本発明はデジタルカメラ、デジタルビデオカメラなどのレンズ鏡筒の前面に装着されるフィルターで、フィルターレンズが回転できるようになっているフィルターの回転枠構造を提供するもので、円板状のフィルターレンズが取り付けられる丸枠フィルターの回転枠構造に好適に使用される。
【００１４】
本発明によるフィルターの回転枠構造は、フィルターレンズを嵌着した前枠とカメラのレンズ鏡筒の前面に装着される後枠からなるフィルター枠をそなえ、前枠と後枠の間にワッシャを介挿して後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたことを構成上の特徴とする。
【００１５】
フィルター枠（前枠および後枠からなる）はアルミニウム合金などの金属材料や繊維強化プラスチックなどからなる高分子材料を成形加工して製作される。前枠と後枠の間に介挿されるワッシャは、自己潤滑性（摺動特性）を有する樹脂から成形される。さらに低摩擦性、低摩耗性をそなえていることが望ましい。このような樹脂としては、ポリテトラフルオロエチレン（ＰＴＦＥ、フッ素樹脂）、ポリアセタール（ＰＯＭ）、ポリアミド（ＰＡ）が適用され、ポリオレフィン系樹脂、フェノール樹脂やポリエステルなどの熱硬化性樹脂も適用することができる。
【００１６】
以下、本発明によるフィルターの回転枠構造の構成を実現するための実施形態について図面（図１〜６）に基づいて説明する。図１〜６において、同じ部材には同一の符号を付した。
【００１７】
実施例１
図１〜３は、本発明によるフィルターの回転枠構造を適用したフィルター１の一実施形態の組立過程を示す要部断面図である。図１は組立前の状態を示す要部断面図で、２は前枠であり、前枠２の内周部にはリン青銅やばね用鋼材を弾性樹脂で被覆してなる押えリング１０を介してフィルターレンズ４が嵌着される。後枠３に押し込まれる前枠２の押し込み側の先端部を図２に示すように前枠２の内周側に撓み得る薄肉部６に成形し、薄肉部６の先端には鉤部７を設ける。後枠３の内周部に形成した溝部８には環状のワッシャ（ＰＴＦＥから成形）５を装入する。１１は後枠３をカメラのレンズ鏡筒に装着するための雄ねじ部、１２は前枠２に関連部品を装着するための雌ねじ部である。
【００１８】
図２は組立時の状態を示す要部断面図、図３は組立後の状態を示す要部断面図で、それぞれ、前枠２を後枠３に対して矢印Ａの方向に押し込む途中の状態、押し込みが完了した状態を示す。前枠２を後枠３に対して矢印Ａの方向に押し込むと、前枠２の先端部の薄肉部６が内周側に矢印Ｂ方向に撓むとともに、先端に設けた鉤部７がワッシャ５の内周面を摺動しながら後枠３に押し込まれ、図３に示すように、前枠２の薄肉部６の撓みが復元するとともに鉤部７がワッシャ５の端部に引っかかることによってワッシャ５が前枠２と後枠３の間に弾発的に介挿され、フィルター１が完成する。
【００１９】
実施例２
図４〜６は、本発明によるフィルターの回転枠構造を適用したフィルター１の他の実施形態の組立過程を示す要部断面図である。図４は組立前の状態を示す要部断面図で、前枠２の内周部にはフィルターレンズ４が嵌着される。後枠３に押し込まれる前枠２の押し込み側に鉤状の加工部９を設ける。後枠３の内周部に形成した溝部８にはＣ字状のワッシャ（ＰＴＦＥから成形）５を装入する。Ｃ字状のワッシャ５は外側にひろがろうとするバネ性をそなえたものである。
【００２０】
図５は組立時の状態を示す要部断面図、図６は組立後の状態を示す要部断面図で、それぞれ、前枠２を後枠３に対して矢印Ａの方向に押し込む途中の状態、押し込みが完了した状態を示す。前枠２を後枠３に対して矢印Ａの方向に押し込むと、Ｃ字状のワッシャ５の外側にひろがろうとするバネ性も加わって、図５に示すように、前枠２の鉤状の加工部９によりＣ字状のワッシャ５が後枠３の内周部に形成した溝部８内で外側に押しひろげられるとともに、前枠２の鉤状の加工部９がワッシャ５の内周面を摺動しながら後枠３に押し込まれ、図６に示すように、ワッシャ５の押しひろがりが復元するとともに鉤状の加工部９がワッシャ５の端部に引っかかることによってワッシャ５が前枠２と後枠３の間に弾発的に介挿され、フィルター１が完成する。
【符号の説明】
【００２１】
１    本発明のフィルターの回転枠構造を適用したフィルター
２    前枠
３    後枠
４    フィルターレンズ
５    ワッシャ
６    薄肉部
７    薄肉部の先端に設けた鉤部
８    後枠３の内周部に形成した溝部
９    鉤状の加工部
１０  押えリング
１１  雄ねじ部
１２  雌ねじ部
【図１】
2019191280.tif 000003
【図２】
2019191280.tif 000004
【図３】
2019191280.tif 000005
【図４】
2019191280.tif 000006
【図５】
2019191280.tif 000007
【図６】
2019191280.tif 000008
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
フィルターレンズを嵌着した前枠とカメラのレンズ鏡筒の前面に装着される後枠からなるフィルター枠をそなえ、前枠と後枠の間にワッシャを介挿してグリースを注入することなしに後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたもので、前記後枠に押し込む前枠の押し込み側の先端部を前枠の内周側に撓み得る薄肉部に成形し、該薄肉部の先端に鉤部を設け、該鉤部を後枠の内周部に形成した溝部に装入したワッシャの内周面に摺動させながら前枠の先端部の薄肉部を後枠に押し込むことにより、前枠の薄肉部が内周側に撓みながら後枠に押し込まれて前枠の薄肉部の撓みが復元するとともに鉤部がワッシャの端部に引っかかることによってワッシャが前枠と後枠の間に弾発的に介挿されることを特徴とするフィルターの回転枠構造。
【請求項２】
フィルターレンズを嵌着した前枠とカメラのレンズ鏡筒の前面に装着される後枠からなるフィルター枠をそなえ、前枠と後枠の間にワッシャを介挿してグリースを注入することなしに後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたもので、前記後枠に押し込む前枠の押し込み側に鉤状の加工部を設け、該加工部を後枠の内周部に形成した溝部に装入したＣ字状のワッシャの内周面に摺動させながら後枠に押し込むことにより、前枠の鉤状の加工部がＣ字状のワッシャを押しひろげながら後枠に押し込まれてワッシャの押しひろがりが復元するとともに鉤状の加工部がワッシャの端部に引っかかることによってワッシャが前枠と後枠の間に弾発的に介挿されることを特徴とするフィルターの回転枠構造。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記の目的を達成するための請求項１によるフィルターの回転枠構造は、フィルターレンズを嵌着した前枠とカメラのレンズ鏡筒の前面に装着される後枠からなるフィルター枠をそなえ、前枠と後枠の間にワッシャを介挿してグリースを注入することなしに後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたもので、前記後枠に押し込む前枠の押し込み側の先端部を前枠の内周側に撓み得る薄肉部に成形し、該薄肉部の先端に鉤部を設け、該鉤部を後枠の内周部に形成した溝部に装入したワッシャの内周面に摺動させながら前枠の先端部の薄肉部を後枠に押し込むことにより、前枠の薄肉部が内周側に撓みながら後枠に押し込まれて前枠の薄肉部の撓みが復元するとともに鉤部がワッシャの端部に引っかかることによってワッシャが前枠と後枠の間に弾発的に介挿されることを特徴とする。
【手続補正４】
【補正対象書類名】明細書
【補正対象項目名】００１０
【補正方法】変更
【補正の内容】
【００１０】
請求項２によるフィルターの回転枠構造は、フィルターレンズを嵌着した前枠とカメラのレンズ鏡筒の前面に装着される後枠からなるフィルター枠をそなえ、前枠と後枠の間にワッシャを介挿してグリースを注入することなしに後枠に対し前枠を回転可能に保持することによりフィルターレンズが回転できるようになっているフィルターの回転枠構造において、後枠の内周部に形成した溝部に自己潤滑性を有する樹脂から成形したワッシャを装入して、前枠をワッシャに摺動させながら後枠に押し込むことによりワッシャが前枠と後枠の間に弾発的に介挿されるようにしたもので、前記後枠に押し込む前枠の押し込み側に鉤状の加工部を設け、該加工部を後枠の内周部に形成した溝部に装入したＣ字状のワッシャの内周面に摺動させながら後枠に押し込むことにより、前枠の鉤状の加工部がＣ字状のワッシャを押しひろげながら後枠に押し込まれてワッシャの押しひろがりが復元するとともに鉤状の加工部がワッシャの端部に引っかかることによってワッシャが前枠と後枠の間に弾発的に介挿されることを特徴とする。